(57)【要約】魚釣り補助具を説明する。より具体的には、釣り糸をフック、フライ及び／又はルアーに連結するノットを釣り糸に結ぶことができる魚釣り補助具を記載する。【選択図】図１１
2014510543.tif 000002
【特許請求の範囲】
【請求項１】
魚釣り補助具において、
前端部及び後端部を有する細長本体を備え、
前記細長本体の前記前端部は、開口及び釣り糸を収容できるチャネルを有し、
前記細長本体の前記前端部は、釣り針の一部が摺動できる溝孔を有し、
前記細長本体の外側表面には、釣り糸を挿入できる第１漏斗状部及び第２漏斗状部を設け、前記細長本体の前記前端部における前記チャネルは前記第１漏斗状部及び第２漏斗状部の双方に貫通する構成とし、また
前記魚釣り補助具により、釣り人がノットを結び、釣り針、フライ及び／又はルアーを取付けることができるようにした、魚釣り補助具。
【請求項２】
請求項１記載の魚釣り補助具において、前記細長本体の前方部における溝孔は、釣り針、フライ及び／又はルアーに自己整列できる構成とした、魚釣り補助具。
【請求項３】
請求項１又は２記載の魚釣り補助具において、釣り針における小穴を、前記細長本体の前記前端部における釣り糸を容易に挿入できる前記チャネルにほぼ直角の角度をなして自己整列でき、釣り糸を釣り針／フライ／ルアーの小穴に真っ直ぐに通すことができる構成とした、魚釣り補助具。
【請求項４】
請求項１〜３のうちいずれか一項記載の魚釣り補助具において、前記釣り糸を、前記第１漏斗状部及び前記細長本体の前記前端部における前記チャネルに通し込むとき、前記釣り針、フライ及び／又はルアーを所定位置に保持できる構成とした、魚釣り補助具。
【請求項５】
請求項１〜４のうちいずれか一項記載の魚釣り補助具において、前記釣り針、フライ及び／又はルアーは、釣り針の小穴を、前記細長本体の前記前端部でほぼ直角になるようチャネルの前方に直接位置させることを確実にするよう、ユーザーが位置決め及び／又は芯出しできる構成とした、魚釣り補助具。
【請求項６】
請求項５記載の魚釣り補助具において、前記釣り針、フライ及び／又はルアーの位置決め及び／又は芯出しを容易にするため、中空円筒形状のインサートを使用し、このインサートを円筒形状の前記細長本体の前端部に挿入する構成とした、魚釣り補助具。
【請求項７】
請求項６記載の魚釣り補助具において、前記中空円筒形状のインサート及び前記細長本体の一部に溝孔を設け、この溝孔により、釣り針、フライ及び／又はルアーを滑り込ませ、また芯出しできる構成とした、魚釣り補助具。
【請求項８】
請求項６又は７記載の魚釣り補助具において、前記インサートは、漏斗状部（例えば、ゴムで形成する）、クランプ、粘着剤、又は保持壁の形式とする、魚釣り補助具。
【請求項９】
請求項１〜８のうちいずれか一項記載の魚釣り補助具において、前記細長本体の前記外側表面には、ユーザーに対してノットを形成することを教示する及び／又は指し示す、溝及び／又は視覚的手段を設けた、魚釣り補助具。
【請求項１０】
請求項１〜９のうちいずれか一項記載の魚釣り補助具において、ブラッドノットを形成するため、ユーザーは１回目のループを形成し、さらにこのループから間隔をとって４回のループを形成するようにした、魚釣り補助具。
【請求項１１】
請求項１〜１０のうちいずれか一項記載の魚釣り補助具において、釣り糸は、前記細長本体の前記外側表面における溝間に巻き付け、釣り糸の第１番目の巻回部と第２番目の巻回部との間に生ずる空間でノットを形成し、釣り糸を逆戻りさせて通過できるようにした、魚釣り補助具。
【請求項１２】
請求項１〜１１のうちいずれか一項記載の魚釣り補助具において、前記第２漏斗状部により前記釣り糸を、釣り糸の前記第１ループの下側に通過させ、つぎに余った釣り糸及び釣り針を片手で引っ張るとともに、他方の手で魚釣り補助具を保持しつつ、ノットを結ぶよう釣り糸を締め込むことができるようにした、魚釣り補助具。
【請求項１３】
請求項１〜１２のうちいずれか一項記載の魚釣り補助具において、釣り糸を前記細長本体から容易に滑り出させ、完成したノットが残るようにした、魚釣り補助具。
【請求項１４】
釣り糸を釣り針、フライ及び／又はルアーに結び付ける魚釣り補助具の使用方法であって、
前端部及び後端部を有する細長本体を準備するステップと、
開口及び釣り糸を収容できるチャネルを有する前記細長本体の前記前端部を準備するステップと、
前記細長本体の前記前端部を準備するステップは、さらに、前記釣り針の一部が摺動できる溝孔を有するようにするステップを有し、
前記細長本体の外側表面には、釣り糸を挿入できる第１漏斗状部及び第２漏斗状部を設け、前記細長本体の前記前端部における前記チャネルは前記第１漏斗状部及び第２漏斗状部の双方に貫通する構成とし、また
前記魚釣り補助具により、釣り人がノットを結び、釣り針、フライ及び／又はルアーを取付けることができるようにする、方法。
【発明の詳細な説明】
【技術分野】
【０００１】
本発明は魚釣り補助具に関する。より具体的には、本発明は、釣り糸（ライン）を釣り針（フック）、フライ及び／又はルアーに連結するノット（結び目）を釣り糸に結ぶことができる魚釣り補助具に関する。
【背景技術】
【０００２】
趣味的またスポーツ的な釣り（フィッシング）は、世界中で最も人気がある活動の１つである。米国だけでも、４千万人の釣り人口があり、４５０億ドルの小売売上高がある。多くの釣り人は、釣り糸を釣り針／フライ及びルアーに取付けるのに必要なノットを結ぶことに問題を抱えている。このことは、多くの異なった理由に起因するもので、例えば、不器用さ、低下している視力、寒い天候、風の強い条件、暗い夜等の原因がある。さらに、多くの釣り人はノットについて適正に教えられず、したがって、正しいノットを結べず、このことは釣り糸がほどけ易いことを意味する。これに関連した最も共通しまた信頼性の高いノットは、クリンチノット／半タック付きブラッドノット（筒形結び）と言われているものがある。これは、本発明魚釣り補助具が特別に結ぶノットである。
【発明の概要】
【発明が解決しようとする課題】
【０００３】
釣り針を固定するノットを結ばなければならない釣り人が抱える主な問題としては以下の３つの問題がある。すなわち、
・  釣り針における小さい孔に釣り糸を通すこと、
・  複雑なノットを形成すること、
・  ノットを締め込むこと
である。
【０００４】
本発明における少なくとも１つの態様の目的は、上述の問題のうち少なくとも１つ又はそれ以上を排除又は軽減することにある。
【０００５】
本発明における少なくとも１つの態様の、他の目的は、釣り糸を釣り針、フライ及び／又はルアーに取付けるノットを結ぶプロセスを容易にすることができる魚釣り補助具を得るにある。
【０００６】
本発明における少なくとも１つの態様の、さらに他の目的は、釣り糸を釣り針、フライ及び／又はルアーに取付けるノットを結ぶプロセスを容易にすることができる方法を得るにある。
【課題を解決するための手段】
【０００７】
本発明の第１態様によれば、魚釣り補助具を提供し、この魚釣り補助具は、
前端部及び後端部を有する細長本体を備え、
細長本体の前記前端部は、開口及び釣り糸を収容できるチャネルを有し、
細長本体の前記前端部は、釣り針の一部が摺動できる溝孔を有し、
細長本体の外側表面には、釣り糸を挿入できる第１漏斗状部及び第２漏斗状部を設け、細長本体の前端部におけるチャネルは第１漏斗状部及び第２漏斗状部の双方に貫通する構成とし、また
魚釣り補助具により、釣り人がノットを結び、釣り針、フライ及び／又はルアーを取付けることができるようにする。
【０００８】
したがって、本発明は、釣り人がノットを結び、釣り針、フライ及び／又はルアーを取付けることが数秒でできるようにする魚釣り補助具に関する。
【０００９】
代表的には、細長本体の前方部における溝孔は、釣り針、フライ及び／又はルアーをに自己整列することができる。例えば、釣り針の小穴を、細長本体の前端部における釣り糸を容易に挿入できるチャネルに対してほぼ直角の角度をなして自己整列できる構成とする。これにより、釣り糸を釣り針／フライ／ルアーの小穴に真っ直ぐに通すことができる。
【００１０】
魚釣り補助具によれば、釣り糸を、第１漏斗状部及び細長本体の前端部におけるチャネルに通し込むとき、釣り針、フライ及び／又はルアーを所定位置に保持できる。釣り針、フライ及び／又はルアーは、釣り針の小穴を、細長本体の前端部でほぼ直角になるようチャネルの前方に直接位置させることを確実にするよう、ユーザーが位置決め及び／又は芯出しできる構成とする。釣り針、フライ及び／又はルアーの位置決め及び／又は芯出しを容易にするため、中空円筒形状のインサートを使用し、このインサートを円筒形状の細長本体の前端部に挿入する構成とする。中空円筒形状のインサート及び細長本体の一部に溝孔を設け、この溝孔により、釣り針、フライ及び／又はルアーを滑り込ませ、また芯出しできる構成とする。インサートは、以下のものに限定しないが、漏斗状部（例えば、ゴムで形成する）、クランプ、粘着剤、又は保持壁の形式とする
【００１１】
他の実施形態において、個別ツール又は「デュアルツール」を、より大きい、穴付きのルアーに使用することができる。アタッチメント又は「デュアルツール」により、突出する端部ピースがそのルアーを溝孔に挿入することができる。
【００１２】
細長本体の外側表面には、ユーザーに対してノットを形成することを教示する及び／又は指し示す、溝及び／又は視覚的手段を設ける。例えば、クリンチノットを形成するため、ユーザーは１回目のループを形成し、さらにこのループから間隔をとって４回のループを形成する。特別な実施形態において、釣り糸は、細長本体の外側表面における溝間に巻き付け、釣り糸の第１番目の巻回部と第２番目の巻回部との間に生ずる空間でノットを形成し、釣り糸を逆戻りさせて通過できるようにする。第２漏斗状部により釣り糸を、釣り糸の第１ループの下側に通過させることができる。つぎに余った釣り糸及び及び釣り針を片手で引っ張るとともに、他方の手で魚釣り補助具を保持しつつ、ノットを結ぶよう釣り糸を締め込むことができる。魚釣り補助具によれば、さらに、釣り糸を細長本体から容易に滑り出させ、完成したノットが残るようにできる。
【００１３】
本発明による魚釣り補助具の他の利点は、釣り糸が漏斗状部を通って釣り針、フライ及び／又はルアーに接近することに起因して、ユーザーは用具双方を保持し、ツールから引き離し、これによりノットを締め込むことができる点である。
【００１４】
他の実施形態において、本発明は、可撓性の壁を設け、この壁により釣り糸の巻回部間に大きな間隙を形成でき、これにより釣り糸を逆戻りさせて通す大きな空間を生ずることができるようにする。釣り針及び釣り糸をツールから引っ張るとき、可撓性の壁は圧潰する。
【００１５】
本発明の第２態様によれば、釣り糸を釣り針、フライ及び／又はルアーに結び付ける魚釣り補助具の使用方法を提供し、この方法は、
前端部及び後端部を有する細長本体を準備するステップと、
開口及び釣り糸を収容できるチャネルを有する細長本体の前端部を準備するステップと、
細長本体の前端部を準備するステップは、さらに、釣り針の一部が摺動できる溝孔を有するようにするステップを有し、
細長本体の外側表面には、釣り糸を挿入できる第１漏斗状部及び第２漏斗状部を設け、細長本体の前端部におけるチャネルは第１漏斗状部及び第２漏斗状部の双方に貫通する構成とし、また
魚釣り補助具により、釣り人がノットを結び、釣り針、フライ及び／又はルアーを取付けることができるようにする。
魚釣り補助具は第１態様に定義したものとすることができる。
【００１６】
以下図面につき、本発明の実施形態を単に例示として説明する。
【図面の簡単な説明】
【００１７】
【図１】本発明の実施形態による魚釣り補助具の、釣り針を取付けようとしている状況を示す側面図である。
【図２】図１に示す魚釣り補助具に釣り針を取付けた状態の側面図である。
【図３】図１及び２に示す魚釣り補助具の分解斜視図である。
【図４】魚釣り補助具の端部に挿入することができるインサート及び釣り針を示す分解図である。
【図５】図４に示すインサート及び釣り針を互いに取付けた状態の図である。
【図６】魚釣り補助具の他の実施形態の図である。
【図７】魚釣り補助具の他の実施形態の図である。
【図８】魚釣り補助具の他の実施形態の図である。
【図９】魚釣り補助具の他の実施形態の図である。
【図１０】釣り糸を使用する準備をしている状態の魚釣り補助具の図である。
【図１１】釣り糸を使用する準備をしている状態の魚釣り補助具の図である。
【図１２】図９〜１１に示す魚釣り補助具のインサート及び釣り針を示す他の図である。
【図１３ａ】図１〜１２に示す魚釣り補助具を使用して釣り針を釣り糸に取付ける方法の段階を示す説明図である。
【図１３ｂ】図１〜１２に示す魚釣り補助具を使用して釣り針を釣り糸に取付ける方法の段階を示す説明図である。
【図１３ｃ】図１〜１２に示す魚釣り補助具を使用して釣り針を釣り糸に取付ける方法の段階を示す説明図である。
【図１３ｄ】図１〜１２に示す魚釣り補助具を使用して釣り針を釣り糸に取付ける方法の段階を示す説明図である。
【図１３ｅ】図１〜１２に示す魚釣り補助具を使用して釣り針を釣り糸に取付ける方法の段階を示す説明図である。
【図１３ｆ】図１〜１２に示す魚釣り補助具を使用して釣り針を釣り糸に取付ける方法の段階を示す説明図である。
【図１３ｇ】図１〜１２に示す魚釣り補助具を使用して釣り針を釣り糸に取付ける方法の段階を示す説明図である。
【図１３ｈ】図１〜１２に示す魚釣り補助具を使用して釣り針を釣り糸に取付ける方法の段階を示す説明図である。
【図１３ｉ】図１〜１２に示す魚釣り補助具を使用して釣り針を釣り糸に取付ける方法の段階を示す説明図である。
【図１４ａ】本発明による他の魚釣り補助具を示す図である。
【図１４ｂ】本発明による他の魚釣り補助具を示す図である。
【図１４ｃ】本発明による他の魚釣り補助具を示す図である。
【図１４ｄ】本発明による他の魚釣り補助具を示す図である。
【図１４ｅ】本発明による他の魚釣り補助具を示す図である。
【図１４ｆ】本発明による他の魚釣り補助具を示す図である。
【図１４ｇ】本発明による他の魚釣り補助具を示す図である。
【発明を実施するための形態】
【００１８】
概して、本発明は、釣り糸を釣り針、フライ及び／又はルアーに連結するノットを釣り糸に結ぶことができる魚釣り補助具を提供する。本発明魚釣り補助具は、釣り糸のノットをすべてのタイプの釣り針、フライ、ルアー等に結ぶ釣り人を支援する携帯デバイスである。魚釣り補助具は、とくに、釣り針、フライ、ルアーの孔に釣り糸を通すこと、並びにノットを形成すること、及びノットを締め込むことを補助する。魚釣り補助具は、さらに、あらゆるタイプの釣り糸を容易に切断するブレード（例えば、釣り糸カッター）も有する。
【００１９】
図１は、本発明による魚釣り補助具を全体的に参照符号１００で示す。魚釣り補助具１００は、円筒形の主本体１１０を有する。魚釣り補助具１００の前端部に第漏斗状部１２２及び第２漏斗状部１２４を設ける。（第１漏斗状部１２２は、通常第２漏斗状部１２４よりも大きい。）釣り針１１２も示し、この釣り針１１２は釣り糸に通す小穴１１４を有する。魚釣り補助具の後端部に２個の突出部材１２６，１２８を設け、これら突出部材間に釣り糸を切断することができるブレード１３０を配置する。
【００２０】
図２は、釣り針１１２に取付けた魚釣り補助具１００を示す。この取付けプロセスを以下に詳細に説明する。
【００２１】
図３は、インサート１１６及び釣り針１１２に取付けようとしている魚釣り補助具１００を示す。
【００２２】
図４は、インサート１１６及び釣り針１１２の分解図である。インサート１１６の断面図に示すように、小穴１１４を有する釣り針１１２の頂端部を受入れることができる中心円錐状部１１８を設ける。円錐状部１１８の端部にチャネル１２０を設け、このチャネル１２０に沿って釣り糸を通すことができる。このことを以下に詳細に説明する。図５は、インサート１１６に挿入した釣り針を示し、挿入する際に釣り針１１２はインサート１１６及び魚釣り補助具１００の底部の溝孔１３０に沿って摺動する。
【００２３】
図６〜９は魚釣り補助具１００の他の図であり、インサート１１６の底部には釣り針１１２を受入れることができる溝孔１３０を設ける。
【００２４】
図１０は、魚釣り補助具１００に通そうとしている釣り糸１５０を示す。釣り糸挿入及びノットの結びを以下に説明する。
【００２５】
図１１は、魚釣り補助具１００に釣り糸１５０を挿通した状態を示す。
【００２６】
図１２は、挿入しようとしているインサート１１６及びブレード１３０とともに魚釣り補助具００を示す。
【００２７】
図１３ａ〜１３ｇは、魚釣り補助具１００でノットを結ぶ方法を示す。
【００２８】
図１３ａは釣り糸１５０の切断状況を示し、この切断により魚釣り補助具１００に使用する、クリーンな釣り糸ピースを得る。
図１３ｂは魚釣り補助具１００の前方に配置した釣り針１１２（及び／又はフライ又はルアー）を示し、最終的にこの釣り針１１２を魚釣り補助具１００に整列させ、所定位置に保持する。釣り針１１２の小穴１１４は、魚釣り補助具１００の前面に対して直角又はほぼ直角に配置し、第１漏斗状部１２２に整列させる。
図１３ｃは図１３ｂに示す魚釣り補助具１００及び第１漏斗状部１２２内に挿入した釣り糸１５０を示し、これにより釣り糸１５０は魚釣り補助具１００の前方に抜け出ることになる。使用にあたり、ユーザーは親指を第１漏斗状部１２２の頂部に軽く当てて釣り糸１５０を保持する。
図１３ｄは魚釣り補助ｊ１００から釣り糸をおおよそ３０ｃｍ（ルアーの場合）引っ張り出す状態を示す。このことを行った後、ユーザーは釣り糸１５０を親指で第１漏斗状部１２２の頂部に押付ける。
図１３ｅは、魚釣り補助具１００における色付き経路に追随して釣り糸１５０を第１ループの周りに１回、より大きいループの周りに４回巻き付けた状態を示す。このことを行った後、経路の長い部分上で釣り糸１５０の若干又はすべての頂部に指をあてがう。
図１３ｆは釣り糸１５０を小さい方の漏斗状部１２４内に挿入し、最終的に魚釣り補助具１００の前方に抜け出させた状態を示す。
図１３ｇは、ユーザーは釣り糸、フライ又はルアーを掴み、自由になっている釣り糸１５０を自由になっている手で魚釣り補助具１００から引き出すとともに、他方の手を使用して釣り糸１５０を親指で押し下げる状態を示す。（ユーザーは「ツールをくねくね動かす」ことを必要とする。）
図１３ｈはつぎに釣り糸１５０を魚釣り補助具１００の頂部から引張り出し、できる限りノットを締め込む状況を示す。
図１３ｉは最終的にノットから余分な釣り糸をカットする状況を示す。
【００２９】
使用にあたり、釣り人はインサート１１６の端部に釣り針／フライ／ルアーを単に配置するだけでよく、このインサート１１６は釣り針／フライ／ルアーを釣り糸漏斗状部の中心に自己整列させる（釣り針／フライ／ルアーの小穴を釣り糸漏斗状部に整列させる）よう設計する。つぎに、釣り糸１５０を魚釣り補助具１００の頂部から第１漏斗状部１２２に押し込むと、釣り針／フライ／ルアーの小穴に自己挿通し、インサート１１６から抜け出る。つぎに、釣り糸１５０を取り上げて魚釣り補助具１００の周りにノットを形成する前に、釣り人は釣り糸１５０を３０ｃｍ通過させる。魚釣り補助具１００の外側ケーシングは溝細部（又は視覚的螺旋経路）を有し、これは釣り人にどのようにしてノットを形成すべきかを示すものである。前方部に１個の溝、これに続いて後方部に４個の溝を設け、これら溝は第１番目の卷回部から第２番目の卷回部まで分離させ、これにより５番目の溝にわたりノットを形成した後、釣り糸が通過できる間隙を生ずることができる。ノットを形成した後、釣り人は釣り糸の端部を取り上げ、第１番目の巻回部と第２番目の巻回部との間で第２漏斗状部１２４内に押し込み、釣り糸１５０の端部を釣り針／ルアーインサート１１６の前方部において第２漏斗状部１２４から抜け出させ、これにより釣り人は釣り糸１５０の端部を釣り針１１２とともに掴み、これらを一緒に魚釣り補助具１００の胴体に平方な方向に引っ張る。溝は、ノットが魚釣り補助具１００から容易に滑り出て、引っ張ることにより締め込むことができるよう形成する。隠れたブレード１３０は魚釣り補助具１００の後方部に位置し、ノット形成が完了した後、対を過剰な部分をカットできるようにする。
【００３０】
魚釣り補助具１００は多くの有利な技術的特徴を有する。すなわち、
・    魚釣り補助具１００は、端部ピースとして、任意の釣り針及びフライを所定位置に保持できる新規なインサート１１６を提供する。
・    魚釣り補助具１００は、端部ピースとして、より大きなルアーを所定位置に保持できる他のインサートも提供する。この端部ピースは１個のツール内に包囲することもできる。インサートはすべてのサイズの釣り針／フライ／ルアーを収容するよう構成することができる。
・    釣り針／フライ／ルアーを魚釣り補助具１００の溝孔に挿入するとき、釣り糸１５０用のチャネル対して一線上に並ぶ位置に自己整列する。
・    魚釣り補助具１００は、ユーザーが釣り糸１５０を容易に挿通し、次いで、この釣り糸が整列した釣り針／フライ／ルアーに貫通することができるようにした、頂部の大きな漏斗状部１２２を有する。
・    魚釣り補助具１００の本体によれば、ユーザーはノットの巻回部を容易に形成することができ、また第１番目の巻回部と第２番目の巻回部との間に空間を生ずることができる。
・    魚釣り補助具１００に第２漏斗状部１２４を設け、この第２漏斗状部１２４によりユーザーは釣り糸１５０を釣り糸１５０の第１番目の巻回部と第２番目の卷回部との間に戻して挿通することができる。
・    釣り糸１５０は、釣り針１１２内に隣接する第２漏斗状部１２４から抜け出し、つぎにユーザーは釣り針１１２及び釣り糸１５０の端部部分を魚釣り補助具１００から引っ張ることができ、これによりノットを締め込む。
・    ノットが締め込まれたとき、釣り糸１５０は魚釣り補助具１００から容易に引き抜くことができる。
・    つぎに、釣り糸カッター１３０を使用して余分な釣り糸部分をノットから切断することができる。
【００３１】
図１４ａは、本発明の他の実施形態における魚釣り補助具２００を示す。図１４ａにおいて、釣り針２１２を魚釣り補助具２００のヘッド２５２に配置する。図１４ｂにおいて、釣り糸２５０をチャネルに通し、図１４ｃにおいて、釣り糸２５０を第１リング２５４の周りに１回巻き付ける。図１４ｄにおいて、釣り糸２５０を第２リング２５６の周りに３回巻き付ける。図１４ｅにおいて、ガイド用の釣り糸を第１ループの開口に戻して挿通する。つぎに、図１４ｆに示すように、釣り糸及び釣り針を一緒に引き出してノットを完成させる。図１４ｇは、釣り針用のヘッド２５２は、ねじ２５４を外すことによって、ヘッド２５２の交換ができることを示す。これにより種々のヘッドを使用して種々の釣り針を使用することができる。
【００３２】
本発明の特別な実施形態を説明したが、記載した実施形態とは異なる実施形態も本発明の範囲内にあることを理解されたい。例えば、任意の適当なタイプの漏斗状部を使用して釣り糸を魚釣り補助具の中心領域に送給することができる。さらに、任意の個数の溝を使用してノットを結ぶ支援を行うことができる。
【図１】
2014510543.tif 000003
【図２】
2014510543.tif 000004
【図３】
2014510543.tif 000005
【図４】
2014510543.tif 000006
【図５】
2014510543.tif 000007
【図６】
2014510543.tif 000008
【図７】
2014510543.tif 000009
【図８】
2014510543.tif 000010
【図９】
2014510543.tif 000011
【図１０】
2014510543.tif 000012
【図１１】
2014510543.tif 000013
【図１２】
2014510543.tif 000014
【図１３ａ】
2014510543.tif 000015
【図１３ｂ】
2014510543.tif 000016
【図３ｃ】
2014510543.tif 000017
【図１３ｄ】
2014510543.tif 000018
【図１３ｅ】
2014510543.tif 000019
【図１３ｆ】
2014510543.tif 000020
【図１３ｇ】
2014510543.tif 000021
【図１３ｈ】
2014510543.tif 000022
【図１３ｉ】
2014510543.tif 000023
【図１４ａ】
2014510543.tif 000024
【図１４ｂ】
2014510543.tif 000025
【図１４ｃ】
2014510543.tif 000026
【図１４ｄ】
2014510543.tif 000027
【図１４ｅ】
2014510543.tif 000028
【図１４ｆ】
2014510543.tif 000029
【図１４ｇ】
2014510543.tif 000030
【国際調査報告】
2014510543.tif 000031
2014510543.tif 000032
2014510543.tif 000033